(57)【要約】【課題】  補充品を保持できると共に見栄えの良い陳列棚を提供する。【解決手段】本発明にかかる商品陳列棚１は、支柱３と、棚板５と、扉１１と、扉保持部材１３とを備え、扉保持部材１３は、棚板５の前端部（前端縁）１５と支柱３の間に架設してあり、扉１１を上下方向及び見込方向の少なくともいずれかにガイドする。【選択図】図１
2018000236.tif 000002
【特許請求の範囲】
【請求項１】
支柱と、棚板と、扉と、扉保持部材とを備え、扉保持部材は、棚板の前端縁と支柱の間に架設してあり、扉を上下方向及び見込方向の少なくともいずれかにガイドすることを特徴とする商品陳列棚。
【発明の詳細な説明】
【技術分野】
【０００１】
本発明は、商品陳列棚に関する。
【背景技術】
【０００２】
一般に、商品陳列棚で陳列している商品が少なくなったときに、その商品を倉庫まで取りに行かなくて済むように、陳列棚の最上棚の上に補充する為の商品（補充品）を載せていた。
【先行技術文献】
【特許文献】
【０００３】
【特許文献１】なし
【発明の概要】
【発明が解決しようとする課題】
【０００４】
しかし、陳列棚に補充品を載せただけでは、補充品が顧客の目に触れるため、見栄えが悪いという問題があった。
【０００５】
そこで、本発明は、補充品を保持できると共に見栄えの良い商品陳列棚の提供を目的とする。
【課題を解決するための手段】
【０００６】
請求項１に記載の発明は、支柱と、棚板と、扉と、扉保持部材とを備え、扉保持部材は、棚板の前端縁と支柱の間に架設してあり、扉を上下方向及び見込方向の少なくともいずれかにガイドすることを特徴とする商品陳列棚である。
【発明の効果】
【０００７】
請求項１に記載の発明によれば、例えば、扉が正面（閉位置）にあるときには棚板上を隠す位置にあり、棚板に載せてある補充品を隠すので見栄えが良い。  
扉を開くときには、閉位置にある扉を扉保持部材に沿って、例えば下方向又は見込方向に移動させることで棚板上を露出する。  
扉の開閉操作は、扉を上下方向又は見込方向のいずれかの方向に移動させるだけなので、扉の開閉操作が容易にできる。例えば、扉の下端を下げたり、押し上げたり、見込方向に押し込んだりする操作だけで済むから、操作が容易で且つ操作性が良い。  
【図面の簡単な説明】
【０００８】
【図１】本発明の実施の形態にかかる商品陳列棚の上方部分を示す側面図であり、（ａ）は扉が閉位置にある状態、（ｂ）は扉が下方の開位置にある状態、（ｃ）は扉が見込方向の開位置にある状態を示す。
【図２】図１に示す商品陳列棚の上方部分の図であり、（ａ）は正面図、（ｂ）は側面、（ｃ）は平面図である。
【図３】図１に示す商品陳列棚の組み立て手順を（ａ）〜（ｆ）の工程毎に示す斜視図である。
【図４】扉保持部材の図であり、（ａ）は側面図、（ｂ）は平面図、（ｃ）は正面図である。
【図５】下端保持具の図であり、（ａ）は正面図、（ｂ）は平面図、（ｃ）は側面図である。
【図６】上端保持具の図であり、（ａ）は背面図、（ｂ）は平面図、（ｃ）は側面図である。
【図７】本発明の実施の形態にかかる商品陳列棚の全体を示す正面図である。
【発明を実施するための形態】
【０００９】
以下に、添付図面の図１〜図７を参照して、本発明の実施の形態を説明する。  
本発明の実施の形態にかかる商品陳列棚１は、図７に示すように、左右の支柱３と、支柱３に着脱自在に取り付けた複数の棚板５を備え、各棚板５で複数の段７ａ、７ｂを形成している。最上段７ａを除く各段７ｂの棚板５には、商品（図示せず）が陳列してあり、最上段７ａは、収納庫９を形成しており、陳列する商品を補充する補充品（図示せず）を収納している。  
図１（ａ）及び図２に示すように、収納庫９には、前述した棚板５と、扉１１と、扉保持部材１３が設けてある。  
棚板５は、左右の支柱３の被係止部３ａ（図２参照）に係止した棚板ブラケット６に載置してあり、上下方向の任意の位置で支柱３に取り付けてある。図１及び図３（ｃ）に示すように、棚板５の表面には前側に長手に沿って形成された条孔１４が形成されている。
棚板５において、条孔１４よりも前側に位置する前端部（前端縁）１５は、下方ほど前側に突出した凹湾曲状を成しており、下端部１５ａが上端部１５ｂよりも前側に位置している。  
【００１０】
扉１１は、扉パネル１７と、扉パネル１７の上端を保持する上端保持具１９とを備えている。図１及び図６に示すように、上端保持具１９は、扉パネル１７の長手方向に沿って長く形成してあり、側面図で示されるように、前側壁２１と後側壁２３と上側壁２５とで略コ字形状を成しており、コ字の下向き開口側から扉パネル１７の上端部を挿入してある。後側壁２３には長手方向に間隔をあけて雌ねじ部２７が設けてある。この雌ねじ部２７には、図１に示すように、扉パネル１７の上端部を止めるねじ２８が螺合されている。  
図６及び図３（ｃ）に示すように、上端保持具１９の左右端部には、上側壁２５から後方に突設した腕部２９が設けてあり、腕部２９の後端部には扉保持部材１３に係合する係合部３１が設けてある。係合部３１は扉保持部材１３に対してスライド自在であり、本実施の形態では、扉保持部材１３を挿通する孔部である。  
【００１１】
図１及び図３（ｆ）に示すように、扉保持部材１３は、最上段７ａの左右両側に設けて、棚板５の前端部（前端縁）１５と支柱３との間に架設してある。図１及び図４に示すように、扉保持部材１３は、線材であり、前側で上下方向に配置した上下方向ガイド部１３ａと、上側で前後方向（見込方向）に配置した見込方向ガイド部１３ｂとを有し、上下方向ガイド部１３ａの上側には、前側ほど下方に傾斜した傾斜部１３ｃが形成されており、上下方向ガイド部１３ａと見込方向ガイド部１３ｂとは連続してある。上下方向ガイド部１３ａの下端部１３ｄは左右方向に曲げてあり、下端保持具３３の係合部３９に挿通して係合している。  
見込方向ガイド部１３ｂの後端部には支柱３の被係止部３ａに係止する係止具４３が設けてあり、係止具４３に形成された係止爪４３ａを被係止部３ａに係止して支柱３に取り付けてある。  
【００１２】
扉保持部材１３には、扉１１の閉鎖時に扉１１の下端１１ａを保持する下端保持具３３が設けてあるので、この下端保持具３３について説明する。  
図１及び図５に示すように、下端保持具３３は扉１１の下端１１ａを受ける扉受け３５と、棚板５の上面５ａの前方に突設する上面部３７と、扉保持部材１３の下端部１３ｄが係合する係合部３９と、棚板５の条孔１４に上から挿通して係止する係止部４１を備えている。係合部３９は上面部３７の左側端部と右側端部とに各々設けてあり、扉保持部材１３を挿通する孔部である。扉受け３５は、縦断面コ字形状の溝状を成しており、扉１１の閉鎖時に扉１１の下端１１ａが溝内に配置される。扉受け３５は図３（ａ）及び図５に示すように、下端保持具３３の長手方向に沿って形成されているが、長手方向の中央部３３ｂを除く左右側にのみ設けてある。  
図１に示すように、下端保持具３３の上面部３７は棚板５の前端との間に空間Ｓを形成しており、係合部３９に係合した部分がこの空間Ｓに入り込むようにしてある。また、下端保持具３３の上面部３７は棚板５の上面５ａと略同一面としてある。  
【００１３】
次に、図３を参照して、扉１１及び扉保持部材１３との組み付けについて説明する。  
図３（ａ）に示すように、まず、棚板５に下端保持具３３を組み付けるが、下端保持具３３は、棚板５の前端部１５に形成されている条孔１４に係止部４１を上から挿入して、棚板５の前側に下端保持具３３を取り付ける。  
次に、図３（ｂ）に示すように、扉保持部材１３の係止具４３にブラケットストッパー４５を装着する。  
図３（ｃ）に示すように、上端保持具１９を用意し、左右の扉保持部材１３を寝かすようにして、扉保持部材１３の下端部１３ｄを上端保持具１９の係合部３１に挿通し、図３（ｄ）に示すように、各扉保持部材１３を立ち上げることで、下端部１３ｄを上端保持具１９に係合する。一方、扉保持部材１３の係止具４３を支柱３の被係止部３ａに係止して支柱に取り付けるが、ブラケットストッパー４５を叩き込んで被係止部３ａに入れ込んで、しっかり固定する。  
図３（ｅ）に示すように、上端保持具１９を扉保持部材１３の上下方向ガイド部１３ａに沿って所定位置まで引き上げ、図１（ａ）に示すように、上端保持具１９の前側壁２１と後側壁２３との間に下から扉パネル１７の上端を差し入れて、雌ねじ部２７に螺合したねじ２８の軸を扉パネル１７に挿通して扉パネル１７を上端保持具１９に固定して、扉１１を組み立てる。  
その後、扉１１を扉保持部材１３の上下方向ガイド部１３ａに沿って上方に移動させて、扉１１の下端１１ａを下端保持具３３の扉受け３５に上から載置して、図３（ｆ）及び図１（ａ）に示すように扉１１を閉じた状態にする。  
【００１４】
次に、扉１１の開閉について説明する。  
図１（ａ）に示すように、扉１１が閉じ状態にあるときには、扉１１の下端１１ａは、下端保持具３３の扉受け３５に載置してある。この状態では、扉受け３５は溝状であるから扉１１の下端１１ａが前後に移動するのを規制している。尚、扉１１の閉じ状態では、扉１１の下端１１ａは棚板５よりも前側で且つ棚板５の上面５ａよりも下方に位置している。  
図１（ｂ）に示すように、扉１１を上下方向に開くときには、下端保持具３３の長手方向中央部３３ｂには扉受け３５がないから（図５及び図３（ｆ）参照）、この中央部３３ｂにおいて扉１１の下端１１ａを手で上方（矢印Ｔ方向）に少し押し上げて、図１（ａ）に示すように、扉１１の下端１１ａを下端保持具３３の扉受け３５の前側溝壁３４を超える上方位置へ移動した後、扉１１の下端１１ａを前方（矢印Ｋ方向）にずらして、扉受け３５よりも前側に移動して扉受け３５から外した後、１１（ｂ）に示すように、扉１１を自重により下方に落とすように手で支えながら下げる。これにより、扉１１は腕部２９の係合部３１が扉保持部材１３の上下方向ガイド部１３ａにガイドされて下方に移動し、腕部２９が下端保持具３３の上面部３７に当接して係止したところで、手を放して、扉１１を開き状態にする。  
【００１５】
図１（ｃ）に示すように、扉１１を見込方向に開くときには、図１（ａ）に示す状態から、下端保持具３３において扉受け３５がない長手方向中央部３３ｂで扉１１の下端１１ａを少し押し上げた後、図１（ｃ）に示すように、上端保持具１９を傾斜部１３ｃから見込方向ガイド部１３ｂに移動させて扉１１の面を垂直方向から次第に傾斜させて水平方向に変えた後、扉１１の下端１１ａを後方に向けて押し込み、上端保持具１９を係止具４３に当接させる。これにより、扉１１は、見込方向の開き位置になる。  
【００１６】
一方、扉１１を上下方向開き位置から閉じるときには、上述した扉１１を閉じ位置から開き位置へ操作するのとは反対に、図１（ｂ）に示す状態から扉１１の下端１１ａを手で押し上げ、図１（ａ）に示すように、扉１１の下端１１ａが下端保持具３３の扉受け３５の前側溝壁３４の上端を超えたところで、扉１１の下端１１ａを後方へずらして扉受け３５に載置する。  
【００１７】
扉１１を見込方向開き位置から閉じるときには、上述した扉１１を閉じ位置から見込方向開き位置へ操作するのとは反対に、図１（ｃ）に示す状態から、扉１１の下端１１ａを手で持って前側に水平移動し、傾斜部１３ｃの上部で扉１１の向きを見込方向から上下方向へ変え、上端保持具１９を扉保持部材１３の傾斜部１３ｃに移動させて、少し下げるようにして、扉１１の下端１１ａを下端保持具３３の扉受け３５に載置する。  
【００１８】
図１（ａ）に示すように、本実施の形態にかかる商品陳列棚１によれば、例えば、扉１１が閉位置にあるときには棚板５の上を隠す位置にあり、棚板５に載せてある補充品を隠すので見栄えが良い。  
図１（ａ）〜（ｃ）に示すように、扉１１の開閉操作は、扉１１を上下方向又は見込方向のいずれかの方向に移動させるだけなので、扉１１の開閉操作が容易にでき、扉１１の下端１１ａを下げたり、押し上げたり、見込方向に押し込んだりする操作だけで済むから、操作が容易で且つ操作性が良い。  
【００１９】
商品陳列棚１に設けた収納庫９は、扉１１と、扉保持部材１３とで構成してあり、扉保持部材１３は棚板５の前端部（前端縁）１５と支柱３間に架設しており、扉１１は扉保持部材１３を移動する構成であるから、既存の陳列棚に特別な加工をすることなく、簡単な構成で且つ少ない部品点数で容易に後付けできる。  
扉保持部材１３は、下端保持具３３を有し、下端保持具３３は棚板５の条孔１４に係合して固定してあるので、ねじ等の固定具を用いないで、下端保持具３３の固定が容易にできる。  
扉１１は扉パネル１７の上端を保持する上端保持具１９を有し、上端保持具１９はその左右に設けた腕部２９で扉保持部材１３にガイドされており、図１（ｂ）に示すように、扉１１を下方の開き位置にしたときに左右側端部（上端保持具１９の腕部２９がある）以外では、棚板５の上面以下に位置するから、棚板５の前方に突起がないので、棚板５の上面を滑るようにして補充品の出し入れがスムーズにできる。  
扉保持部材１３は、下端１３ｄを棚板５に係止した下端保持部具３３の係合部３９に係合して取り付けてあり、上端部は係止具４３を介して支柱３に係止してあるから、簡易な構成で且つ組み付けが容易にできる。  
下端保持具３３は、左右側にのみ扉受け３５を有し、扉受け３５間では、扉１１の下端１１ａが露出しているので、扉１１の下端１１ａを操作するときに直接扉の下端１１ａを操作できるので、操作性が良い。  
下端保持具３３に扉受け３５を設けて、閉じ状態にある扉１１の移動を規制しているので、地震等の揺れが生じたときに、扉１１の下端１１ａが前側に移動して扉１１がかってに開くのを防止できる。  
また、扉１１は上下にスライドすることで開き位置と閉じ位置にすることができ、扉が垂直軸を中心にして左右に回転する観音開きにする場合に比較して、扉１１を開いたときに扉１１が左右の陳列棚に干渉するのを防止できる。  
扉保持部材１３は、線材で形成しているので、製造が容易で且つ嵩張らないので取扱い易い。  
【００２０】
本発明は、上述した実施の形態に限らず、本発明の要旨を逸脱しない範囲で種々変形可能である。  
棚板５には、下端保持具３３を設けることなく、起立片を形成したり、凸部を設けて、扉１１の下端１１ａの移動を規制するものであっても良い。また、棚板５に扉１１の下端１１ａを嵌め込む溝を形成しても良い。  
扉保持部材１３は線材に限らず、下側ほど前側にして上下方向に傾斜した溝部を有する側板とし、扉１１には溝部にスライド自在に係合する凸部を設ける構成であっても良い。
扉１１及び扉保持部材１３は、商品陳列棚１の最上段に取り付けて収納庫９にすることに限らず、上から２段目、３段目等の任意の位置の棚板５に取り付けて収納庫９にしても良い。  
【符号の説明】
【００２１】
１    商品陳列棚
３    支柱
５    棚板
１１  扉
１３  扉保持部材
１５  前端部（前端縁）
【図１】
2018000236.tif 000003
【図２】
2018000236.tif 000004
【図３】
2018000236.tif 000005
【図４】
2018000236.tif 000006
【図５】
2018000236.tif 000007
【図６】
2018000236.tif 000008
【図７】
2018000236.tif 000009